(57)【特許請求の範囲】
【請求項１】
特定の送信元に係る周波数を記憶させるメモリチャンネル機能を有したマルチバンド受信機において、
発光色が異なる複数の発光ダイオード（以下、「ＬＥＤ」という）を光源素子とし、各ＬＥＤの個別光を光学的に混合して多色発光を可能にしたインジケータと、
受信回路から各帯域毎に受信電波の入感信号を検出する信号検出手段と、
前記信号検出手段による入感信号の検出状態に基づいて、何れか一つの帯域での単独入感状態か複数の帯域での同時入感状態かを判定すると共に、単独入感状態の場合には入感帯域を確認する判定・確認手段と、
前記判定・確認手段が単独入感状態と判定した場合に、入感に係る受信周波数と前記メモリチャンネル機能によって記憶させた周波数とを比較する比較手段と、
前記判定・確認手段が単独入感状態と判定した場合には、その入感帯域情報に基づいて各帯域毎に前記インジケータが異なる発光色になるように各ＬＥＤを駆動制御し、また、同時入感状態と判定した場合には、前記インジケータが単独入感状態における各発光色とは異なる発光色になるように各ＬＥＤを駆動制御し、更に、前記判定・確認手段が単独入感状態と判定した場合であって、前記比較手段が周波数の一致を検出したときには、前記インジケータが前記各駆動制御による何れの発光色とも異なるように各ＬＥＤを駆動制御するＬＥＤ制御手段と
を具備したことを特徴とするマルチバンド受信機における入感状態の表示装置。
【請求項２】
各帯域を所定ステップで複数の周波数範囲に分割し、単独入感状態で入感に係る受信周波数が何れの周波数範囲に属するかを判断する判別手段を設けると共に、前記ＬＥＤ制御手段が前記インジケータの発光色を周波数に関する昇順又は降順で周波数範囲毎に同一系統色の範囲内で順次変化させるように各ＬＥＤを駆動制御することとし、前記判別手段によって判断された周波数範囲に対応する発光色で前記インジケータを発光させることを特徴とした請求項１に記載のマルチバンド受信機における入感状態の表示装置。
【発明の詳細な説明】
【０００１】
【発明の属する技術分野】
本発明は無線通信の技術分野に属し、マルチバンド受信機において、入感状態を多色発光インジケータで表示させることにより、インジケータ部分の簡素化や各種入感状態の表示機能の改善を図るための構成に関する。
【０００２】
【従来の技術】
従来から、無線受信機においては、操作者に対して受信信号の入感を視覚的に通知する手段として操作パネル面のインジケータを点灯する方式を採用している場合が多く、そのインジケータは一般的にＢＵＳＹランプと称されている。
特に、マルチバンド受信機であって、同時に２波以上の電波を受信可能な機種の場合には、何れの帯域に入感したかを示すために各帯域毎にインジケータを設けており、入感が検出された帯域に対応するインジケータを自動的に点灯させるようにしている。
【０００３】
例えば、図８はアマチュア無線で多くの局によって運用されている１４４ＭＨz帯域（１４４〜１４６ＭＨz）と４３０ＭＨz帯域（４３０〜４４０ＭＨz）をカバーした携帯型トランシーバであるが、液晶表示部１０１に各帯域の文字表示がなされると共に、その液晶表示部１０１の側部における前記の文字表示位置と対応する位置に単色発光ＬＥＤであるインジケータ１０２,１０３が設けてある。そして、入感周波数のスキャンモードを設定すると、内蔵のＰＬＬ周波数シンセサイザ等を作動させて各帯域を掃引し、入感があればその受信周波数を含む帯域のインジケータを点灯するようになっている。
【０００４】
従って、前記の携帯型トランシーバの各インジケータは個別に駆動され、１４４ＭＨz帯域に入感があればインジケータ１０２が、４３０ＭＨz帯域に入感があればインジケータ１０３がそれぞれ点灯せしめられ、また双方の帯域に入感がある状態では両インジケータ１０２,１０３が点灯せしめられることになり、操作者は各インジケータ１０２,１０３の点灯状態から受信信号の入感状態を確認できる。
【０００５】
【発明が解決しようとする課題】
ところで、前記の構成によると、当然に帯域の数に応じたインジケータが独立に必要となる。
また、図８に示すように、各インジケータ１０２,１０３は帯域の文字表示との対応関係から液晶表示部１０１の側部に設ける必要がある。
そのため、小型化が求められる携帯型トランシーバ等ではインジケータの配置スペースを確保することが困難になる場合があり、液晶表示部が筐体の正面中央部からずれた位置になることは意匠上の観点からもあまり好ましくない。
更に、図８では受信帯域が２つとしているが、他の多くの帯域も受信可能帯域になっている場合には、液晶表示部のサイズに制限があるために小さなインジケータを整列させることになり、前記の問題点と共にインジケータの表示が確認し難くなる。
また更には、各インジケータの駆動回路に対する配線工数が多くなり、非常に細かで煩雑な作業が必要になるという不都合もある。
【０００６】
一方、最近では赤色（Ｒ）・緑色（Ｇ）・青色（Ｂ）の内の２色又はそれら３色のＬＥＤを単一基板に組み込んでおき、各ＬＥＤが発する光を光学的に混合して多数色の表示光が得られるようにしたインジケータも開発されている（特開平7-15044号等）。
【０００７】
そこで、本発明は、メモリチャンネル機能を備えたマルチバンド受信機に多色発光インジケータを適用して入感状態を異なる発光色で表示・確認できるようにして、前記の各問題点を解消させることを目的として創作された。
【０００８】
【課題を解決するための手段】
本発明は、特定の送信元に係る周波数を記憶させるメモリチャンネル機能を有したマルチバンド受信機において、発光色が異なる複数のＬＥＤを光源素子とし、各ＬＥＤの個別光を光学的に混合して多色発光を可能にしたインジケータと、受信回路から各帯域毎に受信電波の入感信号を検出する信号検出手段と、前記信号検出手段による入感信号の検出状態に基づいて、何れか一つの帯域での単独入感状態か複数の帯域での同時入感状態かを判定すると共に、単独入感状態の場合には入感帯域を確認する判定・確認手段と、前記判定・確認手段が単独入感状態と判定した場合に、入感に係る受信周波数と前記メモリチャンネル機能によって記憶させた周波数とを比較する比較手段と、前記判定・確認手段が単独入感状態と判定した場合には、その入感帯域情報に基づいて各帯域毎に前記インジケータが異なる発光色になるように各ＬＥＤを駆動制御し、また、同時入感状態と判定した場合には、前記インジケータが単独入感状態における各発光色とは異なる発光色になるように各ＬＥＤを駆動制御し、更に、前記判定・確認手段が単独入感状態と判定した場合であって、前記比較手段が周波数の一致を検出したときには、前記インジケータが前記各駆動制御による何れの発光色とも異なるように各ＬＥＤを駆動制御するＬＥＤ制御手段とを具備したことを特徴とするマルチバンド受信機における入感状態の表示装置に係る。
【０００９】
本発明では、信号検出手段が受信回路から検出した入感信号に基づいて判定・確認手段が単独入感状態か同時入感状態かを判定し、また単独入感状態であればその入感帯域を確認する。
そして、その判定・確認情報に基づいてＬＥＤ制御手段がインジケータの各ＬＥＤを駆動制御し、単独入感状態の場合においては各帯域に対応する色で、また同時入感状態の場合にはその状態を示す色でインジケータを発光させるが、各状態に応じて発光色が異なるように設定されている。
また、単独入感状態では、比較手段が受信周波数と前記メモリチャンネル機能によって記憶させた周波数とを比較し、周波数の一致を検出したときには、前記の何れの発光色とも異なる発光色で発光させる。
従って、マルチバンド受信機には単一のインジケータを設けるだけでよく、操作者は割り当てられた発光色を視認することにより入感状態を直感的に確認できると共に、単独入感状態で比較的重要度の高い送信元からの入感状態であることも明確に通知できる。
その場合、多色発光インジケータを用いているために、送信元から入感した受信周波数が属する帯域毎に発光色を異ならしめて、何れの帯域に属するものであるかも識別させることができる。
【００１１】
更に、各帯域を所定ステップで複数の周波数範囲に分割し、単独入感状態で入感に係る受信周波数が何れの周波数範囲に属するかを判断する判別手段を設けると共に、ＬＥＤ制御手段がインジケータの発光色を周波数に関する昇順又は降順で周波数範囲毎に同一系統色の範囲内で順次変化させるように各ＬＥＤを駆動制御することとし、前記判別手段によって判断された周波数範囲に対応する発光色でインジケータを発光させることとすれば、入感した受信周波数を各帯域内でほぼどの程度の高さにあるかを視認させることができる。
【００１２】
【発明の実施の形態】
以下、本発明の実施形態を図１から図７を用いて詳細に説明する。
［実施形態１］
先ず、図１は携帯型トランシーバに内蔵されているマルチバンド受信機のシステム回路とインジケータの駆動回路を示す。但し、このマルチバンド受信機の受信帯域は１４４ＭＨz帯域と４３０ＭＨz帯域である。
同図において、１a,１bはそれぞれ１４４ＭＨz帯域用と４３０ＭＨz帯域用のアンテナ、２はハイブリッドトランス、３は分波入力回路、４a,４bはそれぞれ１４４ＭＨz帯域と４３０ＭＨz帯域の受信機回路、５a,５bはそれぞれ１４４ＭＨz帯域と４３０ＭＨz帯域の出力切換回路、６は低周波増幅器、７はスピーカを示す。
【００１３】
ここに、各受信機回路４a,４bはそれぞれの扱う帯域が異なるだけであり、回路構成は一般的なものである。但し、実際の回路構成としては相互に共用する部分もある。
具体的には、高周波増幅器１１と、帯域可変フィルタ１２と、周波数混合器１３と、中間周波フィルタ１４と、中間周波増幅器１５と、復調器１６と、周波数混合器１３で中間周波を作成させるための局部発振回路（ＰＬＬシンセサイザによる可変方式）１７と、中間周波増幅器１５から受信信号のレベルを検出するレベル検出回路１８と、レベル検出回路１８の検出信号をディジタル信号へ変換するＡ/Ｄ変換器１９とで構成されている。
尚、以降の説明では、１４４ＭＨz帯域の受信機回路４aの各構成部分には前記の各符号を用い、図示していないが、４３０ＭＨz帯域の受信機回路４bの各構成部分についてはそれらの符号に「’」を付したものを用いることとする。
【００１４】
そして、このマルチバンド受信機のシステム全体はＭＣＵ（Micro controller
unit）３０によって制御される。
即ち、ＭＣＵ３０は操作部３１からの指示入力信号に基づいて前記の受信機回路４a,４bとその他の回路を制御し、また受信機回路４a,４b等からの入力信号に基づいてその制御状態等を液晶表示部３２に表示させる。
当然に、ＭＣＵ３０はＣＰＵ・ＲＯＭ・ＲＡＭ等の回路要素からなるマイクロコンピュータ回路を内蔵させており、そのＲＯＭにはシステム制御上の各種プログラムが格納されている。
【００１５】
この実施形態の特徴は、マルチバンド受信機が多色発光インジケータ４１とその駆動回路を備えており、ＭＣＵ３０が各種の入感状態をその多色発光インジケータ４１の発光色を異ならしめて表示させる点にある。
ここに、多色発光インジケータ４１は、緑色のＬＥＤ４１gと赤色のＬＥＤ４１rを単一基板上に搭載させており、各ＬＥＤ４１g,４１rが発する光を光学的に混合して緑色と赤色とその混合色とを指示表示させるものであって、図２に示すように、マルチバンド受信機の筐体の前面における液晶表示部３２の右下側に取り付けられている。
また、駆動回路は各ＬＥＤ４１g,４１r毎に構成されている。即ち、各ＬＥＤ４１g,４１rに対する印加電圧をＮＰＮ型トランジスタ４２g,４２rで制御する構成からなり、ＭＣＵ３０がＤ/Ａ変換器４３g,４３rを介して各トランジスタ４２g,４２rのベース電圧を制御することによりコレクタ電流を制御するようになっている。尚、Ｒ1,Ｒ3は動作抵抗、Ｒ2,Ｒ4はベース入力抵抗である。
【００１６】
このマルチバンド受信機における前記の多色発光インジケータ４１を用いた入感状態の表示に係る制御手順は図３のフローチャートに示される。
先ず、操作部３２から所定のボタン操作によって受信周波数の掃引指示を与えると、ＭＣＵ３０はＲＯＭの入感状態表示プログラムを起動させ、制御信号（Ａ1,Ｂ1,Ａ2,Ｂ2）で各受信機回路４a,４bの可変帯域フィルタ１２,１２’と局部発振回路１７,１７’を制御することによって各帯域での掃引を実行する（S1,S2）。
一方、各受信機回路４a,４bのレベル検出器１８,１８’は中間周波増幅器１５,１５’から掃引状態での入感レベルを検出しており、その各入感レベル信号（Ｃ1,Ｃ2）がＡ/Ｄ変換器１９,１９’を介してＭＣＵ３０へ取り込まれる。
【００１７】
そして、前記の掃引の結果、１４４.００〜１４６.００ＭＨzにのみ一定値以上の入感レベル信号が検出された場合には、ＭＣＵ３０が緑色のＬＥＤ４１gのみを１００％駆動させて多色発光インジケータ４１を緑色に点灯させる（S3,S4）。
一方、４３０.００〜４４０.００ＭＨzにのみ一定値以上の入感レベル信号が検出された場合には、ＭＣＵ３０が赤色のＬＥＤ４１rのみを１００％駆動させて多色発光インジケータ４１を赤色に点灯させる（S5,S6）。
また、前記の両帯域で同時に一定値以上の入感レベル信号が検出された場合には、ＭＣＵ３０が緑色のＬＥＤ４１gと赤色のＬＥＤ４１rとをそれぞれ５０％駆動させて、緑色と赤色の光を加色混合した結果である黄色の発光色で多色発光インジケータ４１を点灯させる（S7,S8）。
何れの帯域でも入感レベル信号が検出されなかった場合には、多色発光インジケータ４１は点灯されない。
以降、多色発光インジケータ４１による前記の入感状態の表示に係る制御手順は掃引停止指示があるまで繰り返して実行される（S9,S10）。
尚、ＭＣＵ３０は入感レベル信号が検出された帯域に係る出力切換回路５a,５bを接続状態に切り換えて、その受信信号をスピーカ７から音声出力させる。
【００１８】
ところで、各帯域での単独入感状態及び同時入感状態を示す発光色に関しては予め取扱説明書で解説してある。（多色発光インジケータ４１の配置位置の側部領域に発光色と帯域との対応関係を簡単に示しておいてもよい。）
従って、操作者はマルチバンド受信機の入感状態を多色発光インジケータ４１の発光色を視認するだけで直感的に確認できる。
また、前記の表示は単一のインジケータで実行させるため、図２に示すように携帯型トランシーバの筐体の前面に無理なく配置させることが可能になると共に、意匠上の観点からも液晶表示部３２の領域を大きくとりながらバランスの良い構成を実現できる。
【００１９】
［実施形態２］
この実施形態は前記のマルチバンド受信機がメモリチャンネル機能を備えている場合に係り、操作者が特定の送信元に係る周波数をＭＣＵ３０の内蔵メモリに記憶させておいて簡単な操作で受信周波数を設定できるようになっている場合に、前記の掃引段階でメモリチャンネルの周波数への入感があるか否かを多色発光インジケータで表示させる機能に関する。
【００２０】
この場合の多色発光インジケータとその駆動回路は図４に示すように構成されている。
ここに、多色発光インジケータ５１としては、単一基板上に３色（Ｒ・Ｇ・Ｂ）の各発光色に係るＬＥＤ５１g,５１r,５１bを搭載し、その各ＬＥＤ５１g,５１r,５１bが発する光を光学的に混合してフルカラー（例えば８bitの２５６段階で制御する場合には約１６６７万色）が表示できるものを用いている。
また、駆動回路は各ＬＥＤ５１g,５１r,５１bに対応したＮＰＮ型トランジスタ５２g,５２r,５２bとＤ/Ａ変換器５３g,５３r,５３bで構成されており、動作抵抗Ｒ5,Ｒ6,Ｒ7とベース入力抵抗Ｒ8,Ｒ9,Ｒ10が設けられている。
【００２１】
この実施形態における入感状態の表示手順は図５のフローチャートに示される。
但し、この実施形態の特徴的手順は実施形態１の制御手順（図３）におけるステップS3やステップS5で各帯域に係る単独入感状態が検出された場合にあり、図５はその段階での制御手順のみが示されている。
【００２２】
先ず、１４４.００〜１４６.００ＭＨzにのみ一定値以上の入感レベル信号が検出された場合には、その帯域の掃引時における帯域可変フィルタ１２と局部発振回路１７の制御データ（Ａ1,Ｂ1）から入感レベル信号に係る受信周波数を確認し、その受信周波数とメモリチャンネルに予め登録されている各周波数とを比較する（S3,S11）。
そして、その比較結果において、メモリチャンネルに該当する周波数が存在しなかった場合には、実施形態１の手順と同様に多色発光インジケータ５１の緑色のＬＥＤ５１gのみを点灯させて、その帯域への入感状態であることだけを表示させるが（S11→S4）、該当する周波数が存在した場合には、緑色のＬＥＤ５１gと青色のＬＥＤ５１bをそれぞれ５０％駆動させて、多色発光インジケータ５１を混合発光色（シアン）で点灯させる（S11,S12）。
【００２３】
また、前記の制御手順は４３０.００〜４４０.００ＭＨzにのみ一定値以上の入感レベル信号が検出された場合についても、点灯色が異なるだけで同様の手順が実行される。但し、この場合には、ＭＣＵ３０が４３０ＭＨz帯域側の受信機回路４bの帯域可変フィルタ１２’と局部発振回路１７’に対する掃引制御データ（Ａ2,Ｂ2）から入感レベル信号に係る受信周波数を確認することになる。
即ち、メモリチャンネルに該当する周波数が存在しなかった場合には、赤色のＬＥＤ５１rのみを点灯させて、その帯域への入感状態であることだけを表示させ（S13→S6）、該当する周波数が存在した場合には、赤色のＬＥＤ５１rと青色のＬＥＤ５１bをそれぞれ５０％駆動させて、多色発光インジケータ５１を混合発光色（マゼンタ）で点灯させる（S13,S14）。
【００２４】
従って、操作者は多色発光インジケータ５１がシアン色又はマゼンタ色で点灯した場合に、１４４ＭＨz帯域又は４３０ＭＨz帯域で特定の送信元から入感していることを直感的に確認でき、直ちに受信周波数をその送信元の周波数に設定して受信情報を得ることができる。
【００２５】
尚、この実施形態では、双方の帯域で入感した周波数がメモリチャンネルに登録した周波数と一致した場合であっても、実施形態１の場合と同様に多色発光インジケータ５１を黄色で点灯させることになるが、この場合には青色のＬＥＤ５１bのみを点灯させる制御を実行して多色発光インジケータ５１を青色で点灯させてもよい。また、緑色、赤色、シアン色、又はマゼンタ色と明確に異なる発光色を点灯させるように制御してもよい。
【００２６】
［実施形態３］
実施形態１では、単独入感状態において受信周波数が１４４ＭＨz帯域又は４３０ＭＨz帯域の何れかであることは確認できるが、各帯域の帯域幅（それぞれ２ＭＨz及び１０ＭＨzの帯域幅）の中でどの程度のレベルにあるかは識別できない。
この実施形態は、各帯域を一定のステップで多数の周波数範囲に分割し、受信周波数が何れの周波数範囲に属しているかを識別できるようにインジケータで表示させようとするものである。
【００２７】
ここでは、図１のマルチバンド受信機のシステム回路において、実施形態２の場合と同様に図４に示した多色発光インジケータとその駆動回路を適用して前記の機能を実行させる場合について説明する。
先ず、レベル検出回路１８,１８’の検出信号（Ｃ1,Ｃ2）によって１４４ＭＨz帯域又は４３０ＭＨz帯域の何れかで入感が検知された場合には、ＭＣＵ３０が掃引時における帯域可変フィルタ１２,１２’と局部発振回路１７,１７’に対する制御データ（Ａ1,Ａ2,Ｂ1,Ｂ2）からその受信信号の周波数を確認してそれを内蔵ＲＡＭにセーブする。
【００２８】
一方、ＭＣＵ３０の内蔵ＲＯＭには各帯域についてその帯域幅を所定のステップで分割した周波数範囲データが格納されている。
そして、ＭＣＵ３０はＲＡＭにセーブした受信周波数とＲＯＭの各周波数範囲データとを順次比較してどの周波数範囲に属するかを判別し、その判別結果に基づいて緑色のＬＥＤ５１gと赤色のＬＥＤ５１rを所定の比率で駆動制御する。
【００２９】
例えば、１４４ＭＨz帯域のみでの単独入感状態が確認された場合には、図６のフローチャートで示すような動作手順でＬＥＤ５１g,５１rの発光状態を制御する。但し、この場合には前記の分割ステップを２００ＫＨzに設定して１４４ＭＨz帯域を１０段階に分割している。
具体的には、先ず、前記の判別結果が１４４.００〜１４４.２０ＭＨzであれば緑色のＬＥＤ５１gのみを点灯させる（S21,S22,S23）。即ち、緑色のＬＥＤ５１gだけを１００％駆動させて多色発光インジケータ５１を緑色で発光させる。次に、判別結果が１４４.２０〜１４４.４０ＭＨzであれば、緑色のＬＥＤ５１gを９７.５％で、赤色のＬＥＤ５１rを２.５％でそれぞれ駆動させ、多色発光インジケータ５１をその駆動比率状態での混合色で発光させる（S24,S25,S26）。
【００３０】
以下、判別結果が１４４.４０〜１４４.６０ＭＨz，１４４.６０〜１４４.８０ＭＨz，・・・・，１４５.６０〜１４４.８０ＭＨz，１４５.８０〜１４６.００ＭＨzと周波数範囲が高くなるに伴って、緑色のＬＥＤ５１gを段階的に２.５％ずつ減じた駆動状態に設定し、逆に赤色のＬＥＤ５１rを段階的に２.５％ずつ増大した駆動状態に設定してゆく（S27〜S35）。
従って、入感した受信周波数が高くなるにつれて多色発光インジケータ５１は緑色から除々に黄色側へ変化してゆく態様での混合発光色で点灯されることになり、１４４ＭＨz帯域に設定されている最も高い周波数範囲（１４５.８０〜１４６.００ＭＨz）では混合発光色はほぼ黄緑色になる。
即ち、図７の光の３原色に係る加色混合図において、赤色から黄色側へ段階的に移行する発光色で変化することになる。
【００３１】
尚、前記のように２.５％ずつの増減による段階的駆動制御としているが、これは５％ずつの増減とすれば１４５.８０〜１４６.００ＭＨzでは混合発光色が黄色になって両帯域での同時入感状態を示す発光色（黄色）と同一になるためであり、黄緑色までの変化に留めてその相違を確保させておく必要があるからである。
【００３２】
図６のフローチャートは１４４ＭＨz帯域のみでの単独入感状態での段階的制御に係るものであるが、４３０ＭＨz帯域での単独入感状態の場合も同様の手順で多色発光インジケータの発光色を段階的に変化させる。
但し、その場合には帯域幅が１０ＭＨzであるため、前記と同様に１０段階に分割するのであれば周波数の分割ステップを１ＭＨzに設定し、４３０.００〜４３１.００ＭＨz，４３１.００〜４３２.００ＭＨz，４３２.００〜４３３.００ＭＨz，・・・・，４３９.００〜４４０.００ＭＨzとして各周波数範囲を設定しておく。
また、その場合には前記の各周波数範囲に対応させて、赤色のＬＥＤ５１rを段階的に２.５％ずつ減じた駆動状態に設定し、緑色のＬＥＤ５１gを段階的に２.５％ずつ増大した駆動状態に設定してゆくことになり、１４４ＭＨz帯域の場合と逆の増減関係になる。
そして、その段階的制御によれば、多色発光インジケータ５１の発光色は赤色から黄色側へ除々に変化してゆき、最も高い周波数範囲（４３９.００〜４４０.００ＭＨz）では混合発光色はほぼ橙色になる。
【００３３】
従って、この実施形態によれば、操作者は実施形態１の場合と同様に各帯域での単独入感状態を確認できると共に、入感した受信信号の周波数が各帯域の中でどのレベルにあるかを多色発光インジケータ５１の発光色から容易に知ることができる。
【００３４】
尚、各帯域において何段階に分割するかは任意であり、分割数に応じて各ＬＥＤ５１r,５１gの駆動率の増減を調整すれば足りる。
また、この実施形態では赤色のＬＥＤ５１rと緑色のＬＥＤ５１gの駆動率を制御するようにしているが、３原色のＬＥＤ５１r,５１g,５１bを有する多色発光インジケータ５１ではフルカラーに近い表示が可能であり、青色のＬＥＤ５１gも利用すれば他の系統色の範囲内で段階的に発光色を変化させてゆくことも可能である。
【００３５】
【発明の効果】
本発明の「マルチバンド受信機における入感状態の表示装置」は、以上の構成を有していることにより、次のような効果を奏する。
請求項１の発明は、メモリチャンネル機能を備えたマルチバンド受信機において、単一のインジケータの発光色を視認するだけで、何れか一つの帯域への入感状態にあるか又は複数帯域への同時入感状態にあるか、及び単独帯域への入感状態の場合には何れの帯域への入感状態かを明確に確認できるようにすると共に、単独帯域への入感状態がメモリチャンネル機能により予め記憶させた特定の送信元からの入感であるかどうかを、インジケータの発光色に基づいて確認できるようにする。
また、携帯型のマルチバンド受信機等では、筐体に対するインジケータの配置スペースを余裕をもって確保でき、意匠上の観点からも望ましい設計が実現できるという利点がある。
請求項２の発明は、単独帯域への入感状態の場合に、受信信号の周波数がその帯域内でどの程度の高さにあるかを、インジケータの発光色に基づいて確認できるようにする。
【図面の簡単な説明】
【図１】本発明の実施形態に係るマルチバンド受信機のシステム回路図とインジケータの駆動回路図である。
【図２】マルチバンド受信機を内蔵した携帯型トランシーバの正面図である。
【図３】実施形態１における多色発光インジケータによる入感状態の表示制御手順を示すフローチャートである。
【図４】実施形態２に係る多色発光インジケータとその駆動回路図である。
【図５】実施形態２における多色発光インジケータによる入感状態の表示制御手順を示すフローチャートである。
【図６】実施形態３における多色発光インジケータによる入感状態の表示制御手順を示すフローチャートである。
【図７】光の３原色に係る加色混合図である。
【図８】従来技術に係るマルチバンド受信機を内蔵した携帯型トランシーバの正面図である。
【符号の説明】
１a,１b…アンテナ、２…ハイブリッドトランス、３…分波入力回路、４a,４b…受信機回路、５a,５b…出力スイッチ回路、６…低周波増幅器、７…スピーカ、１１…高周波増幅器、１２…帯域可変フィルタ、１３…周波数混合器、１４…中間周波フィルタ、１５…中間周波増幅器、１６…復調器、１７…局部発振回路、１８…レベル検出回路、１９…Ａ/Ｄ変換器、３０…ＭＣＵ、３１…操作部、３２…液晶表示部、４１…多色発光インジケータ、４１g,４１r…ＬＥＤ、４２g,４２r…ＮＰＮ型トランジスタ、４３g,４３r…Ｄ/Ａ変換器、５１…多色発光インジケータ、５１g,５１r,５１b…ＬＥＤ、５２g,５２r,５２b…ＮＰＮ型トランジスタ、５３g,５３r,５３b…Ｄ/Ａ変換器、１０１…液晶表示部、１０２,１０３…インジケータ。
【図１】
0003754383.tif 000002
【図２】
0003754383.tif 000003
【図３】
0003754383.tif 000004
【図４】
0003754383.tif 000005
【図５】
0003754383.tif 000006
【図６】
0003754383.tif 000007
【図７】
0003754383.tif 000008
【図８】
0003754383.tif 000009